(57)【要約】      （修正有）【課題】使用に起因して室内が暗くなることを、簡単な構成により抑制できる雨戸を提供する。【解決手段】雨戸１０は、板状の雨戸本体３０と、互いに平行配置される一対の縦枠部４１及び一対の縦枠部の一端同士及び他端同士をそれぞれ連結する一対の横枠部４２ａ，４２ｂを有し、雨戸本体の周縁を支持する枠体４０とを備える。雨戸本体の少なくとも一部が透光性の樹脂板により形成されている。雨戸本体の全体が樹脂板により形成され、一対の縦枠部同士を連結する連結部材５０を備え、雨戸本体の片面が連結部材に固定されているのが好ましい。【選択図】図１
0003212728.tif 000002
【実用新案登録請求の範囲】
【請求項１】
板状の雨戸本体と、互いに平行配置される一対の第１枠部及び前記一対の第１枠部の一端同士及び他端同士をそれぞれ連結する一対の第２枠部を有し、前記雨戸本体の周縁を支持する枠体とを備える雨戸において、
前記雨戸本体の少なくとも一部が透光性の樹脂板により形成されている、
雨戸。
【請求項２】
前記雨戸本体の全体が前記樹脂板により形成されており、
前記一対の第１枠部同士または前記一対の第２枠部同士を連結する連結部材を備え、
前記雨戸本体の片面が前記連結部材に固定されている、
請求項１に記載の雨戸。
【考案の詳細な説明】
【技術分野】
【０００１】
本考案は、建物の戸や窓の開口部に配置される雨戸に関する。
【背景技術】
【０００２】
従来、建物の戸や窓の開口部には、防風、防犯、遮光、及び目隠しといった目的のために木製や金属製の雨戸が設置される。
特許文献１には、雨戸本体の一辺がヒンジを介して枠体に開閉可能に設けられた雨戸が開示されている。同文献１に記載の雨戸では、雨戸本体の室内側の面が反射面とされている。そして、雨戸本体が屋外側に開けられている状態において、雨戸本体の反射面によって反射された日光が室内に採り入れられる。これにより、室内が暗くなることが抑制される。
【先行技術文献】
【特許文献】
【０００３】
【特許文献１】特開平１１−２８７０７６号公報
【考案の概要】
【考案が解決しようとする課題】
【０００４】
ところで、特許文献１に記載の雨戸によれば、日光を室内に採り入れることができるものの、雨戸本体を開閉可能に支持する構造などが必要となり、構成が複雑になるという問題がある。
【０００５】
本考案の目的は、室内が暗くなることを、簡単な構成により抑制できる雨戸を提供することにある。
【課題を解決するための手段】
【０００６】
上記目的を達成するための雨戸は、板状の雨戸本体と、互いに平行配置される一対の第１枠部及び前記一対の第１枠部の一端同士及び他端同士をそれぞれ連結する一対の第２枠部を有し、前記雨戸本体の周縁を支持する枠体とを備える雨戸において、前記雨戸本体の少なくとも一部が透光性の樹脂板により形成されている。
【０００７】
同構成によれば、雨戸本体の少なくとも一部が透光性の樹脂板により形成されている。このため、雨戸の使用時において、樹脂板を通じて外部の光を室内に取り込むことが可能となる。したがって、室内が暗くなることを簡単な構成により抑制できる。
【０００８】
上記雨戸において、前記雨戸本体の全体が前記樹脂板により形成されており、前記一対の第１枠部同士または前記一対の第２枠部同士を連結する連結部材を備え、前記雨戸本体の片面が前記連結部材に固定されていることが好ましい。
【０００９】
同構成によれば、一対の第１枠部同士または一対の第２枠部同士を連結する連結部材に対して雨戸本体が固定されているため、雨戸本体の厚さを薄くした場合であっても雨戸本体の剛性を高めることができ、雨戸本体の撓みを抑制することができる。
【考案の効果】
【００１０】
本考案によれば、室内が暗くなることを簡単な構成により抑制できる。
【図面の簡単な説明】
【００１１】
【図１】雨戸の一実施形態について、雨戸全体を示す正面図。
【図２】図１の２−２線に沿った雨戸の拡大断面図。
【図３】同実施形態の雨戸を屋外側から示す斜視図。
【図４】同実施形態の雨戸を室内側から示す斜視図。
【考案を実施するための形態】
【００１２】
以下、図１〜図４を参照して、一実施形態について説明する。
図１に示すように、本実施形態の雨戸１０は、建物の戸や窓の枠に設けられるものであり、長方形板状の雨戸本体３０と、雨戸本体３０の周縁を支持する長方形状の枠体４０とを備えている。
【００１３】
＜雨戸本体３０＞
図１〜図４に示すように、雨戸本体３０は、全体が透光性の樹脂板により形成されている。雨戸本体３０には、都合３６個（縦６個×横６個）の挿通孔３１（図２参照）が形成されている。樹脂板としては、耐候性及び耐衝撃性に優れているポリカーボネート板が好ましい。また、樹脂板としては、室内のプライバシーを保護する目的から、半透明のものが好ましい。
【００１４】
＜枠体４０＞
図１〜図４に示すように、枠体４０は、市販のアルミニウム製の雨戸の枠体であり、互いに平行配置される一対の縦枠部４１及び一対の縦枠部４１の一端同士及び他端同士をそれぞれ連結する一対の横枠部４２ａ，４２ｂを有しており、全体として長方形状をなしている。
【００１５】
枠体４０の４つの角部では、横枠部４２ａ，４２ｂの延在方向（同図の左右方向）に沿って縦枠部４１から横枠部４２ａ，４２ｂに向かってねじ４０１が螺入されることにより、縦枠部４１と横枠部４２ａ，４２ｂとが連結されている。
【００１６】
図２に示すように、縦枠部４１の内周部には、嵌合凹溝４３が設けられている。この嵌合凹溝４３は、枠体４０の内周部の全周にわたって設けられている。嵌合凹溝４３には、雨戸本体３０の周縁が全周にわたって挿入されている。
【００１７】
図２〜図４に示すように、各縦枠部４１における嵌合凹溝４３の室内側を区画する縁部４３１には、複数（本実施形態では６つ）の挿通孔４３２が形成されている。なお、これらの挿通孔４３２は、市販の雨戸において各縦枠部４１と雨戸本体とを連結するリベット（図示略）が挿通されるものである。
【００１８】
図１に示すように、各縦枠部４１の中間部分には、横枠部４２ａ，４２ｂと平行に延在する支持部材４４の両端がねじ（図示略）により連結されている。支持部材４４は、雨戸本体３０に対して直接固定されていない。
【００１９】
なお、一対の横枠部４２ａ，４２ｂのうち戸や窓の枠に取り付けられた状態において下側に位置する横枠部４２ｂには、一対の戸車（図示略）が互いに間隔をおいて設けられている。
【００２０】
＜連結部材５０＞
図１〜図４に示すように、各縦枠部４１には、横枠部４２ａ，４２ｂと平行に延在する複数（本実施形態では６つ）の連結部材５０の両端が連結されている。各連結部材５０は、縦枠部４１の延在方向において互いに等間隔にて設けられている。
【００２１】
図２に拡大して示すように、雨戸本体３０の室内側の面に連結部材５０が当接され、嵌合凹溝４３に連結部材５０の端部が嵌入されている。この状態において、室内側から縦枠部４１の挿通孔４３２に挿通されたねじ５０２を介して連結部材５０が縦枠部４１に連結されている。また、屋外側から雨戸本体３０の挿通孔３１に挿通されたねじ５０１を介して雨戸本体３０が連結部材５０に固定されている。
【００２２】
次に、本実施形態の雨戸１０の作成手順について説明する。
雨戸１０を作成するに際しては、まず、市販の雨戸の各縦枠部４１における各挿通孔４３２に挿通されており、各縦枠部４１と雨戸本体（図示略）とを連結しているリベットを切断して取り外す。また、枠体４０から都合４つのねじ４０１を取り外すことにより枠体４０を分解し、枠体４０から雨戸本体を取り外す。
【００２３】
続いて、上記取り外された雨戸本体の寸法に合わせてポリカーボネート板を切断する。また、雨戸本体３０に対してドリルにより３６個（縦６個×横６個）の挿通孔３１を形成する。このようにして雨戸本体３０を形成する。
【００２４】
続いて、上記枠体４０の嵌合凹溝４３に雨戸本体３０の周縁を挿入する。そして、都合４つのねじ４０１を縦枠部４１及び横枠部４２ａ，４２ｂに対して取り付けることにより、枠体４０を形成する。
【００２５】
続いて、雨戸本体３０の周縁と縦枠部４１の縁部４３１との間に連結部材５０の端部を嵌入する。そして、各縦枠部４１の挿通孔４３２にねじ５０２を挿通するとともに同ねじ５０２により縦枠部４１と連結部材５０とを連結する。
【００２６】
最後に、雨戸本体３０の各挿通孔３１にねじ５０１を挿通するとともに同ねじ５０１により雨戸本体３０と連結部材５０とを連結する。
次に、本実施形態の作用について説明する。
【００２７】
雨戸本体３０の全体が透光性の樹脂板により形成されているため、雨戸１０の使用時において、雨戸本体３０を通じて外部の光を室内に取り込むことが可能となる。
しかも、雨戸本体３０は、ポリカーボネート板により形成されているため、耐候性及び耐衝撃性において従来の金属製の雨戸本体に対して劣らない。
【００２８】
以上説明した本実施形態に係る雨戸によれば、以下に示す効果が得られるようになる。
（１）雨戸本体３０の全体が透光性の樹脂板により形成されている。
こうした構成によれば、上述した作用を奏することから、室内が暗くなることを簡単な構成により抑制できる。
【００２９】
（２）雨戸１０は、一対の縦枠部４１同士を連結する連結部材５０を備えている。雨戸本体３０の室内側の面が連結部材５０に固定されている。
雨戸本体３０の厚さが薄いために雨戸本体３０が撓みやすく異音を発生するおそれがある。
【００３０】
この点、上記構成によれば、一対の縦枠部４１同士を連結する連結部材５０に対して雨戸本体３０が固定されているため、雨戸本体３０の厚さを薄くした場合であっても雨戸本体３０の剛性を高めることができ、雨戸本体３０の撓みを抑制することができる。
【００３１】
（３）複数の連結部材５０が互いに間隔をおいて設けられている。
こうした構成によれば、雨戸本体３０の剛性が一層高められるため、雨戸本体３０の撓みを効果的に抑制することができる。
【００３２】
（４）枠体４０が市販のアルミニウム製の雨戸の枠体であるため、既存の雨戸の枠体４０を再利用することにより、雨戸１０を簡単に作成することができる。
＜変形例＞
・雨戸本体３０の屋外側の面に連結部材５０を当接させた状態で、雨戸本体３０と連結部材５０とを固定することもできる。
【００３３】
・連結部材５０の数は６つに限られるものではなく、適宜変更することができる。
・連結部材５０は、縦枠部４１と平行に延在し、各横枠部４２ａ，４２ｂ同士を連結するものであってもよい。
【００３４】
・上記実施形態では、市販のアルミニウム製の雨戸の枠体４０を再利用しているが、専用の枠体を用いることもできる。また、枠体４０はアルミニウム製のものに限定されず、木製や樹脂製の枠体を採用することもできる。
【００３５】
・従来の金属製雨戸本体の一部に窓開口を設けるとともに同窓開口に透光性の樹脂板を取り付けるようにしてもよい。すなわち、雨戸本体３０の一部が透光性の樹脂板からなるものであってもよい。
【００３６】
・樹脂板は、透明なものはもちろんのこと、透光性があれば着色されているものでもよい。さらに、樹脂板はポリカーボネート板に限定されるものではなく、アクリル板などの他の樹脂板であってもよい。
【符号の説明】
【００３７】
１０…雨戸、３０…雨戸本体、３１…挿通孔、４０…枠体、４０１…ねじ、４１…縦枠部（第１枠部）、４２ａ，４２ｂ…横枠部（第２枠部）、４３…嵌合凹溝、４３１…縁部、４３２…挿通孔、４４…支持部材、５０…連結部材、５０１，５０２…ねじ。
【図１】
0003212728.tif 000003
【図２】
0003212728.tif 000004
【図３】
0003212728.tif 000005
【図４】
0003212728.tif 000006